(57)【特許請求の範囲】
【請求項１】
ワイヤレスコミュニケーションシステムのパフォーマンスを改善する方法であって、
複数のパケットデータコンバージェンスプロトコルプロトコルデータ単位（PDCP PDU）をパケットデータコンバージェンスプロトコル（PDCP）エンティティにより伝送する工程と、
第１のラジオリンク制御（RLC）エンティティにより、前記複数のパケットデータコンバージェンスプロトコルプロトコルデータ単位（PDCP PDU）を受信する工程と、
前記第１のラジオリンク制御（RLC）エンティティにより、前記複数のパケットデータコンバージェンスプロトコルプロトコルデータ単位（PDCP PDU）を同等の第２のラジオリンク制御（RLC）エンティティに伝送する工程と、
前記第１のラジオリンク制御（RLC）エンティティにより、前記同等の第２のラジオリンク制御（RLC）エンティティから前記パケットデータコンバージェンスプロトコル（PDCP）エンティティにより伝送された前記パケットデータコンバージェンスプロトコルプロトコルデータ単位（PDCP PDU）とは同じ順番で受信されなかった前記複数のパケットデータコンバージェンスプロトコルプロトコルデータ単位（PDCP PDU）に対する複数の応答を受信する工程と、
前記パケットデータコンバージェンスプロトコル（PDCP）エンティティがロスレスSRNS再配置の特性をサポートするように設定される場合、前記パケットデータコンバージェンスプロトコル（PDCP）エンティティにより伝送された前記パケットデータコンバージェンスプロトコルプロトコルデータ単位（PDCP PDU）と同じ順番で正しく受信された前記複数のパケットデータコンバージェンスプロトコルプロトコルデータ単位（PDCP PDU）のそれぞれに対し、前記第１のラジオリンク制御（RLC）エンティティにより確認情報を伝送する工程と、
前記パケットデータコンバージェンスプロトコル（PDCP）エンティティにより、前記確認情報を受信する工程と、
前記パケットデータコンバージェンスプロトコル（PDCP）エンティティにより、前記確認情報に対応する前記パケットデータコンバージェンスプロトコルプロトコルデータ単位（PDCP PDU）を削除する工程と、
からなることを特徴とする方法。
【請求項２】
前記削除されたパケットデータコンバージェンスプロトコルプロトコルデータ単位（PDCP PDU）に対応するパケットデータコンバージェンスプロトコルサービスデータ単位（PDCP SDU）を削除する工程を更に備えることを特徴とする請求項１に記載の方法。
【請求項３】
前記パケットデータコンバージェンスプロトコル（PDCP）エンティティがロスレスSRNS再配置の特性をサポートするように設定される場合、前記確認情報は前記パケットデータコンバージェンスプロトコル（PDCP）エンティティにより伝送されたパケットデータコンバージェンスプロトコルサービスデータ単位（PDCP SDU）と同じ順番で伝送されることを特徴とする請求項１に記載の方法。
【請求項４】
前記削除されたパケットデータコンバージェンスプロトコルプロトコルデータ単位（PDCP PDU）に対応する前記パケットデータコンバージェンスプロトコルサービスデータ単位（PDCP SDU）を削除する工程を更に含むことを特徴とする請求項３に記載の方法。
【請求項５】
ワイヤレスコミュニケーションシステムのパフォーマンスを改善する方法であって、
複数のパケットデータコンバージェンスプロトコルプロトコルデータ単位（PDCP PDU）をパケットデータコンバージェンスプロトコル（PDCP）エンティティにより伝送する工程と、
第１のラジオリンク制御（RLC）エンティティにより、前記複数のパケットデータコンバージェンスプロトコルプロトコルデータ単位（PDCP PDU）を受信する工程と、
前記第１のラジオリンク制御（RLC）エンティティにより、前記複数のパケットデータコンバージェンスプロトコルプロトコルデータ単位（PDCP PDU）を同等の第２のラジオリンク制御（RLC）エンティティに伝送する工程と、
前記第１のラジオリンク制御（RLC）エンティティにより、前記同等の第２のラジオリンク制御（RLC）エンティティから前記パケットデータコンバージェンスプロトコル（PDCP）エンティティにより伝送された前記パケットデータコンバージェンスプロトコルプロトコルデータ単位（PDCP PDU）とは同じ順番で受信されなかった前記複数のパケットデータコンバージェンスプロトコルプロトコルデータ単位（PDCP PDU）に対する複数の応答を受信する工程と、
前記第１のラジオリンク制御（RLC）エンティティにより、正しく受信された前記複数のパケットデータコンバージェンスプロトコルプロトコルデータ単位（PDCP PDU）のそれぞれに対する確認情報を伝送する工程と、
前記パケットデータコンバージェンスプロトコル（PDCP）エンティティにより、前記確認情報を受信する工程と、
前記パケットデータコンバージェンスプロトコル（PDCP）エンティティがロスレスSRNS再配置の特性をサポートするように設定され、且つ、前記確認情報により示された前記パケットデータコンバージェンスプロトコルプロトコルデータ単位（PDCP PDU）のシーケンス番号より小さい未確認の前記パケットデータコンバージェンスプロトコルプロトコルデータ単位（PDCP PDU）のシーケンス番号がない場合、前記パケットデータコンバージェンスプロトコル（PDCP）エンティティは、前記確認情報により示された前記パケットデータコンバージェンスプロトコルプロトコルデータ単位（PDCP PDU）を削除する工程と、
からなることを特徴とする方法。
【請求項６】
前記パケットデータコンバージェンスプロトコル（PDCP）エンティティは、前記削除されたパケットデータコンバージェンスプロトコルプロトコルデータ単位（PDCP PDU）に対応するパケットデータコンバージェンスプロトコルサービスデータ単位（PDCP SDU）を削除することを特徴とする請求項５に記載の方法。
【発明の詳細な説明】
【０００１】
【発明の属する技術分野】
本発明は、ワイヤレスコミュニケーションプロトコルに関するもので、特に、データ伝送を確認する方法に関するものである。
【０００２】
【従来の技術】
ワイヤレスコミュニケーションシステムの発展に伴って、新しいコミュニケーション方法、サービス、基準が世界中で展開されている。特に、ここ数年、発展が加速し、移動無線通信（mobile radio communication）工業の成長は著しい。多様な技術が、ポータブル無線装置を小型化、割安、信頼性の向上を進めている。携帯電話サービスの急成長は今後数十年に渡り、現在のワイヤレスネットワークと相互に作用し、最終的には超越すると予見できる。
【０００３】
【発明が解決しようとする課題】
公知のワイヤレスシステムは、起点と目的地間のコミュニケーション経路を提供する。本技術は、ベースステーション（base station）とモバイルターミナル（mobile terminal）間で、コネクションやシステムリソースのアロケーションを構築する。これらのコネクションは、ボイスコミュニケーションのメンテナンスに有用であるが、データ伝送においてはある期間作動しない状況があり、リソースの無駄になる。
【０００４】
この他、データの不要な破棄や不要なデータ伝送のために、システムリソースが浪費される。更に、データロスや、同期化問題のせいで、ワイヤレスコミュニケーションシステムの完全性が危うくなる。これにより、改善されたコミュニケーションプロトコルにより、システムリソース浪費を減少させ、ワイヤレスシステムパフォーマンスを向上させる必要がある。
【０００５】
本発明は、データ伝送の確認方法を提供し、ロスレスSRAN（lossless Serving Radio Network subsystem）再配置（relocation）と、PDCP（Packet Data convergence protocol、パケットデータコンバージェンスプロトコルあるいはパケットデータ直収プロトコル）シーケンス番号同期化に存在する問題を効果的に解決し、ワイヤレスコミュニケーションシステムのパフォーマンスを改善することを目的とする。
【０００６】
【課題を解決するための手段】
パケットデータコンバージェンスプロトコル（PDCP）は、IP及びPPPなどのデータ伝送サービスを上層に提供する。PDCPは以下のような機能を実行する。伝送端と受信端のエンティティ（entity）でのIPデータストリーム（IPv４及びIpv６のTCP／IP、RTP／UDP／IPヘッダ）のヘッダ圧縮及び解凍、ユーザーデータの伝送、ロスレスサービングラジオネットワークサブシステム(serving radio network subsystem、SRNS)再配置をサポートするために設定された無線ベアラ（radio bearer）のPDCPシーケンス番号のメンテナンスである。PDCPはラジオリンク制御（Radio Link Control、RLC）サブレイヤーにより提供されるサービスを利用する。
【０００７】
ロスレスSRNS再配置は、RLCが連続伝送（in-sequence delivery）と承認モード（acknowledge mode、AM）の時のみ適用される。ロスレスSRNS再配置のサポートは、上層により決定される。PDCPシーケンスナンバリングは、ロスレスSRNS再配置がサポートされる時、適用される。PDCPシーケンス番号は、再配置前に、すでに受信が成功したPDCP サービスデータユニット(SDU)の数を確認するのに用いられる。PDCPシーケンス番号の有効範囲は、０〜６５５３５の間である。PDCP連続番号(sequence  number、SN)ウィンドウサイズはPDCP SDUの最大数を示すが、RLC層により同等のエンティティに首尾よく伝送されたかは確認されず、いつでも番号をつけることが出来る。PDCPウィンドウサイズは上層により決定される。PDCPエンティティが初めて設けられる時、PDCPシーケンス番号は０に設定される。
【０００８】
ロスレスSRNS再配置をサポートする無線ベアラにとって、PDCPがAM RLCにPDCP PDU（protocol data unit、プロトコルデータ単位）の伝送を要求すると同時に、AM RLCに、このPDCP PDUが、同等のRLC AMエンティティにより受信されたかを確認させる。PDCP PDUに編成された全ての承認モードデータ（AMD）PDUが受信端AM RLCエンティティにより承認されると、伝送端のAM RLCエンティティはPDCPに通知する。RLCにより伝送された確認情報は、RLCに伝送されるPDCP PDUと同じ順序か、または違う。PDCPがRLC確認情報を受信する時、PDCPは、バッファからの情報により示されるPDCP PDU、及び対応するPDCP SDUを削除し、記憶空間を抑える。PDCPがバッファからの情報により示されるPDCP PDU及び対応するPDCP SDUを削除する場合、ロスレスSRNS再配置とPDCPシーケンス番号同期化に問題が生じる。
【０００９】
伝送端のPDCPエンティティは、PDCP PDUをRLCに伝送するPDCPエンティティである。受信端のPDCPエンティティは、RLCから伝送されるPDCP PDUを受信するPDCPエンティティである。伝送端のRLC AMエンティティは、RLC PDU２１０を伝送するRLC AMエンティティである。受信端のRLC AMエンティティは、RLC PDU２１０を受信するRLC AMエンティティである。
【００１０】
伝送端PDCPエンティティが１０個のPDCPデータPDUを伝送し、そのデータ領域中に圧縮或いは未圧縮のPDCP SDUを有すると仮定すれば、これらPDCP PDUのSNは０〜９である。また、伝送端のPDCPエンティティがSN＝０、１、５、７、８及び９であるPDCP SDUを有するPDCPデータPDUが受信端のRLC AMエンティティにより受信されたかを示す伝送端RLC AMエンティティの確認情報を受信したと仮定する。これにより、伝送端のRLC AMエンティティにより確認されたPDCPデータPDUと対応するSDUはバッファから削除され、PDCPデータPDUとSN＝２、３、４及び６に対応するPDCP SDUは、そのままバッファ中に残留する。
【００１１】
連続伝送が設定されるため、受信端のRLC AMエンティティは、SN＝０及び１であるPDCP SDUを有するPDCPデータPDUだけを、受信端のPDCPエンティティに伝送する。SN＝５、７、８及び９であるPDCP SDUを有するPDCPデータPDUを編成するAMD PDUは、RLCバッファ内に保存される。
【００１２】
しかし、上述の状況において問題が生じる。ロスレスSRNS再配置が生じる時、RLC AMエンティティの伝送及び受信が再構築される。受信端のRLC AMエンティティは全てのAMD PDUを破棄すると共に、SRNS再配置の間、伝送端と受信端のPDCPエンティティは、受信SN（Receive SN）を交換する。伝送端のPDCPエンティティが、受信端のPDCPエンティティからの次に受信が望まれるPDCP受信SN＝２を受信すると共に、SN＝２からのPDCP SDUを有するPDCPデータPDUの伝送を開始する。よって、SN＝２、３…９であるPDCP SDUを有するデータPDUは、再伝送される。しかし、SNRS再配置の前、SN＝５、７、８及び９であるPDCP SDUを有するPDCPデータPDUが伝送端のPDCPエンティティにより削除されるため、これは不可能である
上述の状況において別の問題が生じる。RLCリセットが生じる時、受信端のRLC AMエンティティは全ての受信したAMD PDUを破棄する。上記の説明によれば、伝送端PDCPエンティティは、RLCリセットに引続いて、そのデータ領域に第一の未確認PDC PSDUを持ちかつそのシーケンス番号領域にこのSDUのSNを持つ一つのPDCP SeqNum PDCを伝送端RLC AMエンティティに提出する。この場合、第一の未確認PDC PSDUはSN＝２であるPDCP SDUである。を受信すると共に、SN＝２からのPDCP SDUを有するPDCPデータPDUの伝送を開始する。SN＝３…９であるPDCP SDUを有するPDCPデータPDUは、再伝送される。しかし、RLCリセットの前に、SN＝５、７、８及び９であるPDCP SDUを有するPDCPデータPDUが伝送端のPDCPエンティティにより削除されるため、これは不可能である。
【００１３】
そこで、本発明は少なくとも一つの上記の問題を解決するための方策を提供する。
RLCはPDCPシーケンス確認情報を提供する。このシーケンス確認は、その確認情報がPDCPにより伝送されたPDCP PDUと同じ順番で、PDCPに伝送されることを意味する。よって、本発明によると、伝送端RLC AMエンティティは、SN＝０及び１のPDCP SDUだけを確認し、SN＝５、７、８及び９のPDCP SDUは確認しない。このような方法で、PDCP PDUとSN＝５、７、８及び９に対応するPDCP SDUは、伝送端PDCPエンティティにより削除されない。PDCP PDUとSN＝２、３及び４に対応するSDUが同等の受信端RLC AMエンティティにより承認されるまで、伝送端RLC AMエンティティはPDCP PDUとSN＝５に対応するSDUを確認しない。同様に、PDCP PDUとSN＝２、３、４及び６に対応するPDCP SDUが同等の受信端RLC AMエンティティにより承認されるまで、伝送端RLC AMエンティティはPDCP PDUとSN＝７、８及び９に対応するPDCP SDUを確認しない。
【００１４】
本発明の別の態様により前記問題の少なくとも一つの問題を解決する方策が更に提供される。
RLCにより確認されるPDCP PDUを有するPDCP SDUのSNが未確認のPDCP SDUの最小SNより大きい時、確認情報により表示されたこのPDCP SDUのSNが最小、或いは最初のSNになるまで、PDCPは、RLCに確認されるこのPDCP PDU及び対応するSDUを削除しない。同様に、伝送端RLC AMエンティティは、PDCP PDUとSN＝０、１、５、７、８及び９に対応するSDUを確認し、未確認PDCP SDUの最小SNは２である。PDCP PDUとSN＝０及び１に対応するPDCP SDUは削除される。PDCP PDUとSN＝５、７、８及び９に対応するPDCP SDUは、暫時、削除されない。PDCP PDUとSN＝５に対応するPDCP SDUは、PDCP PDUとSN＝２、３及び４に対応するPDCP SDUが確認されるまで、削除されない。PDCP PDUとSN＝７、８及び９に対応するPDCP SDUは、PDCP PDUとSN＝２、３、４及び６に対応するPDCP SDUが確認されるまで、削除されない。
【００１５】
このように、本発明はデータ伝送の確認方法を提供し、ロスレス再配置及びPDCPシーケンス番号同期化で生じる問題を効果的に解決すると共に、ワイヤレスコミュニケーションシステムのパフォーマンスを向上する。
【００１６】
【発明の実施の形態】
上述した本発明の目的、特徴、及び長所をいっそう明瞭にするため、以下に本発明の好ましい実施の形態を挙げ、図を参照にしながらさらに詳しく説明する。尚、同様の部材には同様の参照番号を付した。
【００１７】
パケットデータコンバージェンスプロトコル（PDCP）は、IP及びPPPなどのデータ伝送サービスを上層に提供する。PDCPは以下のような機能を実行する。伝送端と受信端のエンティティにおいてそれぞれIPデータストリーム（IPv４及びIpv６のTCP／IP、RTP／UDP／IPヘッダ）のヘッダ圧縮及び解凍、ユーザーデータの伝送、ロスレスSRNS再配置をサポートするために設定された無線ベアラのPDCPシーケンス番号のメンテナンスである。PDCPはラジオリンク制御（RLC）サブレイヤーにより提供されるサービスを利用する。
【００１８】
ロスレスSRNS再配置は、RLCが連続伝送と承認モード（AM）の時のみ適用される。ロスレスSRNS再配置のサポートは、上層により決定される。PDCPシーケンスナンバリングは、ロスレスSRNS再配置がサポートされる時、適用される。PDCPシーケンス番号は、再配置前に、すでに受信が成功したPDCP SDUの数を確認するのに用いられる。PDCPシーケンス番号の値は、０〜６５５３５の間である。PDCP SNウィンドウサイズは、PDCP SDUの最大数を示すが、RLC層により同等のエンティティに首尾よく伝送されたかは確認されず、いつでも番号をつけることが出来る。PDCPウィンドウサイズは、上層により決定される。PDCPエンティティが初めて設けられる時、PDCPシーケンス番号は０に設定される。
【００１９】
以下の説明において、“下層へ／或いは下層からのPDCP SDUの伝送／或いは受信”は、データ領域に、圧縮、若しくは未圧縮のPDCP SDUを有するPDCPデータPDU、或いは、PDCP SeqNum PDUの、下層へ／或いは下層からの伝送／或いは受信と同義として使用される。
【００２０】
PDCPシーケンス番号が適用される時、各無線ベアラは：
ユーザ機器（user equipment、UE）において：
・第一PDCP SDUが下層に伝送される時、UL＿Send PDCPシーケンス番号は、“０”に設定される。
【００２１】
・次のPDCP SDUが下層に伝送される毎に、UL＿Send PDCPシーケンス番号は、“１”ずつ増分される。
・第一PDCP SDUが下層から受信される時、DL＿Receive PDCPシーケンス番号は、“０”に設定される。
【００２２】
・次のPDCP SDUが下層から受信される毎に、DL＿Receive PDCPシーケンス番号は、“１”ずつ増分される。
UMTSターミナル・地上無線接続網（UMTS Terrestrial Radio Access Network、UTRAN）において、
・第一PDCP SDUが下層に伝送される時、DL＿Send PDCPシーケンス番号は、“０”に設定される。
【００２３】
・次のPDCP SDUが下層に伝送される毎に、DL＿Send PDCPシーケンス番号は、“１”ずつ増分される。
・第一PDCP SDUが下層から受信される時、UL＿Receive PDCPシーケンス番号は、“０”に設定される。
【００２４】
・次のPDCP SDUが下層から受信される毎に、UL＿Receive PDCPシーケンス番号は、“１”ずつ増分される。
PDCPエンティティ中で、PDCPシーケンス番号は減小されない。
【００２５】
ロスレスSRNS再配置をサポートする無線ベアラについて、PDCPエンティティは：
・PDCPエンティティは、RLCリセット、或いは、SRNS再配置によるものではないRLC再構築（RLC re−establishment）に続いて、PDCP SNを同期化しなければならない場合、または
・UE／UTRAN PDCPエンティティが再配置の後、上層から無効な“次に受信が望まれるUL／DL＿Receive PDCP SN”を受信する場合、
・PDCP SeqNum PDUを下層に送ることにより、PDCP SN同期化工程を実行し、
・下層により伝送された、PDCP SeqNum PDUの確認情報により、同期化工程が完了したか判断する。
【００２６】
UE／UTRANにおいて、次に受信が望まれるUL／DL＿Receive PDCP SNの値が、第一のすでに伝送されたが未確認のPDCP SDUのSend PDCP SNより小さい、或いは、第一未伝送PDCP SDUより大きい場合、“次に受信が望まれるUL／DL＿Receive PDCP SN”は無効と判断される。
【００２７】
PDCP SeqNum PDUを受信する時：
UE PDCPエンティティは：
・DL＿Receive PDCPシーケンス番号の値をPDCP SeqNum PDUに表示される数値に設定する。
【００２８】
UTRAN PDCPエンティティは：
・UL＿Receive PDCPシーケンス番号の値をPDCP SeqNum PDUに表示される数値に設定する。
【００２９】
ロスレスSRNS再配置工程では：
・UTRANがUEに、次に受信したいUL＿Receive PDCPシーケンス番号を伝送する工程と、
・UEがUTRANに、次に受信したいDL＿Receive PDCPシーケンス番号を伝送する工程と、からなる。
【００３０】
情報互換により、UEとUTRAN PDCPエンティティで、シーケンス番号を同期化する。
上層に要求される時、ロスレスSRNS再配置をサポートする各無線ベアラについて、ソースRNC中のPDCPサブレイヤーは、以下の情報をターゲットRNCに転送しなければならない。
【００３１】
・UEから受信されることが望まれる次のPDCP SDUのUL＿Receive PDCP SN；
・初めに伝送されたが未確認のPDCP SDUのDL＿Send PDCP SN；
・すでに伝送されたが未確認のPDCP SDUと相関するDL＿Send PDCP SN；及び
・まだ伝送されていないPDCP SDU；である。
【００３２】
図１はRLCサブレイヤー構造、図２はPDCP PDU構造を示す図である。
ロスレスSRNS再配置をサポートする無線ベアラについて、PDCPがAM RLCにPDCP PDU１３０の伝送を要求すると同時に、AM RLCにこのPDCP PDU１３０が同等のRLC AMエンティティ１５０により受信されたかを確認させる。PDCP PDU２４０に編成された全てのAMD PDU２１０が受信端AM RLCエンティティ１５０により承認されると、伝送端のAM RLCエンティティ（transmitting AM RLC entity）１２０はPDCPに通知する。RLCにより伝送された確認情報は、RLCに伝送されるPDCP PDU１３０と同じ順序か、または違う。PDCPがRLC確認情報を受信する時、PDCPは、バッファからの情報により示されるPDCP PDU２４０、及び対応するPDCP SDUを削除し、記憶空間を抑える。PDCPがバッファからの情報により示されるPDCP PDU２４０、及び対応するPDCP SDUを削除する場合、ロスレスSRNS再配置とPDCPシーケンス番号同期化に問題が生じる。一例により、これらの問題を説明する。
【００３３】
以下の例と問題を説明する前に、以下の例と問題の記述に用いられる用語を定義する。
伝送端のPDCPエンティティとは、PDCP PDUをRLCに伝送するPDCPエンティティである。
【００３４】
受信端のPDCPエンティティとは、RLCから伝送されるPDCP PDUを受信するPDCPエンティティである。
伝送端のRLC AMエンティティとは、RLC PDU２１０を伝送するRLC AMエンティティである。
【００３５】
受信端のRLC AMエンティティとは、RLC PDU２１０を受信するRLC AMエンティティである。
伝送端PDCPエンティティが、そのデータ領域中に圧縮或いは未圧縮のPDCP SDUを有する１０個のPDCPデータPDU２４０を伝送すると仮定する。これら１０個のPDCP PDU２４０のSNは０〜９である。伝送端のPDCPエンティティは、SN＝０、１、５、７、８及び９であるPDCP SDUを有するPDCPデータPDU２４０が受信端のRLC AMエンティティにより受信されたかを示す伝送端RLC AMエンティティの確認情報を受信する。これにより、伝送端のRLC AMエンティティにより確認されたPDCPデータPDU２４０と対応するSDUはバッファから削除され、PDCPデータPDU２４０とSN＝２、３、４及び６に対応するPDCP SDUは、そのままバッファ中に残留する。
【００３６】
連続伝送が設定されるため、受信端のRLC AMエンティティは、SN＝０及び１であるPDCP SDUを有するPDCPデータPDU２４０だけを、受信端のPDCPエンティティに伝送する。SN＝５、７、８及び９であるPDCP SDUを有するPDCPデータPDU２４０を編成するAMD PDUは、RLCバッファ内に保存される。
【００３７】
しかし、上述の状況において問題が生じる。ロスレスSRNS再配置が生じる時、RLC AMエンティティの伝送及び受信が再構築される。受信端のRLC AMエンティティ１５０は全てのAMD PDUを破棄すると共に、SRNS再配置の間、伝送端と受信端のPDCPエンティティは、受信SNを交換する。伝送端のPDCPエンティティ１３０が、受信端のPDCPエンティティ１５０から、次に受信が望まれるPDCP受信SN＝２を受信すると共に、SN＝２からのPDCP SDUを有するPDCPデータPDU２４０の伝送を開始する。よって、SN＝２、３…９であるPDCP SDUを有するデータPDU２４０は、再伝送される。しかし、SNRS再配置の前、SN＝５、７、８及び９であるPDCP SDUを有するPDCPデータPDU２４０が伝送端のPDCPエンティティ１３０により削除されるため、これは不可能である。
【００３８】
上述の状況において、もう一つ問題が存在する。RLCリセットが生じる時、受信端のRLC AMエンティティ１５０が全ての受信端のAMD PDUを破棄する。上述によると、伝送端PDCPエンティティ１３０は、RLCリセットに続いて、伝送端のRLC AMエンティティ１２０に、そのデータ領域に第一未確認PDCP SDUを有しかつそのシーケンス番号領域にこのSDUのSNを有するPDCP SeqNum PDUを伝送する。この場合、第一未確認PDCP SDUは、SN＝２のPDCP SDUである。SN＝３…９であるPDCP SDUを有するPDCPデータPDU２４０が再転送される。しかし、SN＝５、７、８及び９であるPDCP SDUを有するPDCPデータPDU２４０は、RLCリセットの前に、伝送端PDCPエンティティにより削除されるため、これは不可能である。
【００３９】
そこで本発明のは具体的な方策では次のようにして上述の問題を克服する。
RLCはPDCPシーケンス確認を提供する。このシーケンス確認は、その情報がPDCPにより伝送されたPDCP PDUと同じ順番で、PDCPに伝送されることを意味する。よって、本発明によると、伝送端RLC AMエンティティは、SN＝０及び１のPDCP SDUだけを確認し、SN＝５、７、８及び９のPDCP SDUは確認しない。このような方法で、PDCP PDUとSN＝５、７、８及び９に対応するPDCP SDUは、伝送端PDCPエンティティにより削除されない。PDCP PDUとSN＝２、３、及び４に対応するSDUが同等の受信端RLC AMエンティティにより承認されるまで、伝送端RLC AMエンティティはPDCP PDUとSN＝５に対応するSDUを確認しない。同様に、PDCP PDUとSN＝２、３、４及び６に対応するPDCP SDUが同等の受信端RLC AMエンティティにより承認されるまで、伝送端RLC AMエンティティはPDCP PDUとSN＝７、８及び９に対応するPDCP SDUを確認しない。
【００４０】
方策を更に提供して、前記問題の少なくとも一つの問題を解決する。
RLCにより確認されるPDCP PDUを有するPDCP SDUのSNが未確認のPDCP SDUの最小SNより大きい時、確認情報により表示されたこのPDCP SDUのSNが最小、或いは最初のSNになるまで、PDCPは、RLCに確認されるこのPDCP PDU及び対応するSDUを削除しない。同様に、伝送端RLC AMエンティティは、PDCP PDUとSN＝０、１、５、７、８及び９に対応するSDUを確認し、未確認PDCP SDUの最小SNは２である。PDCP PDUとSN＝０及び１に対応するPDCP SDUは削除される。PDCP PDUとSN＝５、７、８及び９に対応するPDCP SDUは、暫時、削除されない。PDCP PDUとSN＝５に対応するPDCP SDUは、PDCP PDUとSN＝２、３及び４に対応するPDCP SDUが確認されるまで、削除されない。PDCP PDUとSN＝７、８及び９に対応するPDCP SDUは、PDCP PDUとSN＝２、３、４及び６に対応するPDCP SDUが確認されるまで、削除されない。
【００４１】
これにより、本発明はデータ伝送の確認方法を提供し、ロスレス再配置及びPDCPシーケンス番号同期化で生じる問題を効果的に解決すると共に、ワイヤレスコミュニケーションシステムのパフォーマンスを向上する。
【００４２】
本発明の前記詳述はPDCPとRLC応用の一例として示したものである。しかし、本発明の長所と特徴は、他のアプリケーション、システム、或いは装置における実践でも活かすことが出来る。本発明はPDCPとRLCの応用に限定するものではない。例えば、上層がPDCPを代替して用いられてもよい。本発明の具体例は、システム或いは環境での応用も含む。本発明の特徴は、各種アプリケーション、プロトコル、システム及び装置に用いることが出来、パフォーマンスと整合性を向上することが出来る。
【００４３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【図１】本発明の具体例によるRLCサブレイヤー構造を示す図である。
【図２】本発明の具体例によるPDCP PDU構造を示す図である。
【図１】
0003776406.tif 000002
【図２】
0003776406.tif 000003